(57)【特許請求の範囲】
【請求項１】
上端に開口を有する容器状のバッグ本体と、
バッグ本体に設けられ、上記開口を開閉する外蓋とを備え、
当該外蓋は、閉状態で上記開口の上方に配置され当該開口の近傍を覆う平板部及び当該平板部の周縁に外側に広がるように延設されたスカートを有するトレー状に形成されており、
当該スカートは、上記外蓋が閉じられた状態で上記開口の周縁部の外側に当接し、且つ上記開口の周縁部と当接する部位よりも上記平板部側の位置に貫通孔が設けられている釣用バッグ。
【請求項２】
上記貫通孔に空気供給用チューブを保護し支持し得るチューブ保持環が設けられている請求項１に記載の釣用バッグ。
【請求項３】
上記バッグ本体は、当該バック本体内に空気を供給するための空気供給装置を保持する空気供給装置取付部を備えている請求項１又は２に記載の釣用バッグ。
【発明の詳細な説明】
【技術分野】
【０００１】
本発明は、魚釣りの際に使用される釣用バッグの構造に関するものである。
【背景技術】
【０００２】
魚釣りの際には、釣人は、釣竿及び釣用リールのほか、釣糸、釣針、浮子、錘その他の道具に加え、場合によっては釣餌を携行しなければならない。そのため、このような釣道具をまとめて収容できる釣用バッグが従来から種々提供されている（例えば、特許文献１〜特許文献５参照）。これにより、釣人は、多くの釣道具をコンパクトにまとめて釣場に持ち込むことができる。
【０００３】
ところで、釣用バッグが釣道具の収容搬送用容器として使用されるのみならず、釣れた魚や生き餌を生かしておくための生け簀として、あるいは釣場に持ち込まれる食料の収容庫等として使用されれば、釣人としても便利である。そして、釣用バッグが生け簀として使用されるときには、当該釣用バッグに魚と共に水（海水）も収容されることになるから、この釣用バッグの搬送中における水漏れが確実に防止されなければならないという要請がある。また、釣用バッグが食料の収容庫等として使用されるときには、外部から当該釣用バッグ内への水の侵入が確実に防止されなければならないという要請もある。
【０００４】
【特許文献１】特開２００５−１８５２２５号公報
【特許文献２】特開２００５−１８５１２０号公報
【特許文献３】特開２００５−１６８４３３号公報
【特許文献４】特開２００５−１５１８７８号公報
【特許文献５】特開平１１−４９２０２号公報
【発明の開示】
【発明が解決しようとする課題】
【０００５】
特に、釣用バッグが生け簀として使用されるときには、釣れた魚や生き餌を生かしておくための空気供給装置も同時に使用される。このとき、この空気供給装置から供給される空気が確実に且つ安定して釣用バッグに収容された海水内に導かれなければならないという要請がある。
【０００６】
そこで、本発明の目的は、釣れた魚や生き餌を生かしておくための生け簀として使用可能であり且つ釣れた魚を生かすための空気の供給を安定的に受け得る釣用バッグを提供することである。
【課題を解決するための手段】
【０００７】
(1) 上記目的が達成されるため、本発明に係る釣用バッグは、上端に開口を有する容器状のバッグ本体と、バッグ本体に設けられ、上記開口を開閉する外蓋とを備える。当該外蓋は、閉状態で上記開口の上方に配置され当該開口の近傍を覆う平板部及び当該平板部の周縁に外側に広がるように延設されたスカートを有するトレー状に形成されており、当該スカートは、上記外蓋が閉じられた状態で上記開口の周縁部の外側に当接し、且つ上記開口の周縁部と当接する部位よりも上記平板部側の位置に貫通孔が設けられている。
【０００８】
上記外蓋は、バッグ本体を開閉する。外蓋が閉じられた状態で外蓋の平板部がバッグ本体の開口の上方近傍を覆うと共に、この平板部から外側に広がるように形成されたスカートが上記開口の周縁部に当接して当該開口を閉塞する。これにより、バッグ本体の開口が外蓋によって確実に閉じられつつ、当該開口の上方に平板部及びスカートによって区画される空間が形成される。この釣用バッグが釣れた魚等を生かしておくための生け簀として使用される場合は、バッグ本体内に海水と共に釣れた魚等が収容される。外蓋が閉じられた状態で、上記スカートが上記開口の周縁部と当接する部位よりも上記平板部側の位置に貫通孔が設けられているので、当該貫通孔に外部から空気供給用チューブが挿通されたときは、当該空気供給用チューブが上記空間及び上記開口を通過してバッグ本体の内部に導かれる。つまり、上記空間が形成されることにより、上記空気供給用チューブは、折れ曲がることなく滑らかに湾曲して外蓋の外部からバッグ本体内に導かれる。これにより、この空気供給用チューブを介して外部からバッグ本体内に空気が安定的に供給される。
【０００９】
(2) 上記貫通孔に空気供給用チューブを保護し支持し得るチューブ保持環が設けられているのが好ましい。このチューブ保持環が設けられることにより、上記空気供給用チューブが保護され、支持される。したがって、外部から外蓋を通ってバッグ本体内に挿通される空気供給用チューブが途中で屈曲することが確実に防止され、一層安定した空気の供給が可能となる。
【００１０】
(3) 上記バッグ本体は、当該バック本体内に空気を供給するための空気供給装置を保持する空気供給装置取付部を備えていてもよい。これにより、バッグ本体が空気供給装置を常時装備することができ、所要時に当該釣用バッグが上記生け簀として利用され得る。
【発明の効果】
【００１１】
本発明に係る釣用バッグは、釣れた魚等を海水と共に収容することができる生け簀として使用され、また、外蓋の貫通孔に空気供給用チューブが挿通されることによって、この生け簀に空気が安定的に供給される。したがって、釣れた魚等は、長時間にわたってバッグ本体内で生きることができる。
【発明を実施するための最良の形態】
【００１２】
以下、適宜図面が参照されつつ、好ましい実施形態に基づいて本発明が詳細に説明される。
【００１３】
図１は、本発明の一実施形態に係る釣用バッグの正面斜視図である。また、図２は、この釣用バッグの背面斜視図である。この釣用バッグ１０は、バッグ本体１１を備えている。このバッグ本体１１は、上方が開口された直方体容器状に形成されており、このバッグ本体１１に外蓋１２が設けられている。また、図３は、上記外蓋１２が開放された状態における釣用バッグ１０の斜視図である。同図が示すように、バッグ本体１１に内蓋１３が設けられている。さらに、図４は、この内蓋１３が開放された状態における釣用バッグ１０の斜視図である。
【００１４】
本実施形態に係る釣用バッグ１０は、例えば磯釣りの際に使用され、釣用リール、浮子、錘その他の釣道具のほか釣餌等が収容される。また、この釣用バッグ１０は、後述の材料から構成されており、釣れた魚や生き餌を生かしておくための生け簀としても機能する。本実施形態に係る釣用バッグ１０の特徴とするところは、上記外蓋１２の構造である。この外蓋１２に後に詳述される貫通孔２７が設けられていることにより、例えばバッグ本体１１の外部に設けられたエアポンプ（空気供給装置）から延びるエアポンプ用チューブ（空気供給用チューブ）が途中で屈曲することなく滑らかにバッグ本体１１内に導かれるようになっている。以下、釣用バッグ１０の構造について詳述される。
【００１５】
図１ないし図４が示すように、釣用バッグ１０は、上記バッグ本体１１と、外蓋１２とを備えている。このバッグ本体１１は、上記内蓋１３を備えている。
【００１６】
バッグ本体１１は、矩形の底面部１４と、この底面部１４の周縁に立設された側壁部１５とを備えており、上端に矩形の開口１７（図４参照）が形成されている。この開口１７が矩形に形成されることにより、バッグ本体１１の剛性が向上し、釣用バッグ１０の使い勝手が向上する。これら底面部１４及び側壁部１５は、シート状の合成樹脂から構成されている。合成樹脂としては、例えば、エチレン酢酸ビニル共重合体（ＥＶＡ）が好適に採用される。底面部１４の肉厚寸法は、０．７５ｍｍ〜２．０ｍｍ程度に設定され、側壁部１５の肉厚寸法は、０．７５ｍｍ〜２．０ｍｍ程度に設定され得る。側壁部１５は、シート状の合成樹脂が筒状に形成され、その下端部が上記底面部１４の周縁部に溶着されることによって形成されている。
【００１７】
図５は、図２におけるV −V  断面図である。同図は、バッグ本体１１の上部の構造並びに外蓋１２及び内蓋１３の取付構造を示している。
【００１８】
同図が示すように、上記側壁部１５の上端部１６は、バッグ本体１１の外側に折り返されており、所定位置１８において当該側壁部１５に溶着されている。本実施形態では、この上端部１６が上記所定位置１８で溶着固定されているが、当該上端部１６を上記所定位置１８に固定するための手段は、他の種々の手段が採用され得る。要するに、上記上端部１６が止着されていればよい。また、上記上端部１６は、バッグ本体１１の周囲全体に連続して溶着されていてもよいし、間欠的に溶着されていてもよい。
【００１９】
さらに、本実施形態では、上記側壁部１５の上端部１６は、芯材１９に巻き掛けられている。この芯材１９は、環状に形成されており、上記開口１７の周縁部に沿って配置されている。換言すれば、この芯材１９が上記開口１７を区画している。芯材１９は、例えばステンレススチールから構成され得る。この芯材１９が設けられることにより、バッグ本体１１の開口１７の周縁部の剛性が向上し、その結果、バッグ本体１１が釣道具の収容容器として一層使い易いものとなる。
【００２０】
図２が示すように、バッグ本体１１にエアポンプバッグ６０（空気供給装置取付部）が取り付けられている。具体的には、バッグ本体１１の側面２４の外側にエアポンプバッグ６０が固定されている。このエアポンプバッグ６０は、シート状の合成樹脂からなり、略直方体の容器状に形成されている。エアポンプバッグ６０を構成する合成樹脂としては、例えば、エチレン酢酸ビニル共重合体（ＥＶＡ）が好適に採用される。また、本実施形態では、このエアポンプバッグ６０にファスナー６１が設けられており、このファスナー６１のスライダ６２が操作されることによって、エアポンプバッグ６０が開閉されるようになっている。このファスナー６１が操作され、エアポンプバッグ６０が開放されることにより、当該エアポンプバッグ６０内に上記エアポンプが収容保持されるようになっている。
【００２１】
図１及び図２が示すように、バッグ本体１１は把手２２、２３を備えている。この把手２２、２３は、バッグ本体１１の対向する一対の側面２４に設けられている。把手２２は、取付ステー２５を介して上記一方側の側面２４に取り付けられ、把手２３は、取付ステー２５を介して上記他方側の側面２４に取り付けられている。
【００２２】
図６は、この取付ステー２５の拡大斜視図である。同図では、バッグ本体１１の一方の側面２４に設けられた取付ステー２５が図示されているが、他方の側面２４に設けられた取付ステー２５も同様の形状である。
【００２３】
この取付ステー２５は、バッグ本体１１の側面２４に固定されるベース部３０と、このベース部３０の中央部に形成されたブリッジ部３１と、このブリッジ部３１の両側方にそれぞれ形成された軸受部３２とを備えている。ただし、この取付ステー２５は、上記側面２４にバッグ本体１１と一体的に形成されるのが好ましい。この取付ステー２５は合成樹脂からなり、例えば射出成形されることによって構成されている。この合成樹脂としては、例えば、エチレン酢酸ビニル共重合体（ＥＶＡ）が好適に採用される。
【００２４】
上記ベース部３０は、横長矩形の平板状に形成されている。ブリッジ部３１は、扁平したＵ字状に形成されており、ベース部３０から外方に突出している。このため、ブリッジ部３１とベース部３０との間に所定の空間が形成されており、この空間にタオルやコマセカッター等が引っ掛けられるようになっている。また、軸受部３２は、リング状に形成されており、上記ブリッジ部３１の両側方に突設されている。これら軸受部３２は、後述される把手２２の軸４１（図７参照）を回動自在に支持する。
【００２５】
軸受部３２の下方に、当該軸受部３２に連続するようにしてベース部３０に切込３３が設けられている。この切込３３が設けられることにより、軸受部３２の下側部分がベース部３０から離れるように変形することができ、その状態で上記把手２２の軸４１が当該軸受部３２に嵌め込まれるようになっている。このようにして軸４１が軸受部３２に嵌め込まれた後、軸受部３２がバッグ本体１１に溶着されることにより、把手２２が取付ステー２５に回動自在に取り付けられる。
【００２６】
図７は、上記把手２２の斜視図である。
【００２７】
同図が示すように、この把手２２は全体として略Ｕ字状を呈している。この把手２２は、上記取付ステー２５と同様に合成樹脂からなり、例えば射出成形されることによって構成されている。この合成樹脂としては、例えば、エチレン酢酸ビニル共重合体（ＥＶＡ）が好適に採用される。把手２２の両端部４０は平板状に形成されており、当該両端部４０に上記軸４１が形成されている。また、把手２２の中央部４３は丸棒状に形成されており、釣人は、この中央部４３を把持して容易に当該釣用バッグ１０を持ち運びすることができる。
【００２８】
把手２２の両端部４０はフォーク状に形成されており、上記各軸４１は、両端部４０の先端同士を連結して上記中央部４３と略平行に延びている。換言すれば、上記両端部４０は、それぞれ、肉抜きされた空間４４が形成されており、上記各軸４１は、この空間４４に架け渡すように配置されている。この空間４４が形成されることにより、各軸４１が上記軸受部３２に容易に嵌め込まれる。また、上記両端部４０は、所定部位４５において屈曲されている。このように両端部４０が屈曲されていることにより、把手２２が上方へ回動起立された状態で上記中央部４３が釣用バッグ１０の上方中央に位置することになる（図１、図２参照）。
【００２９】
把手２２は、バッグ本体１１の一方側の側面２４に設けられたものであるが、前述のように、把手２３はバッグ本体１１の他方側の側面２４に設けられている。把手２３は、把手２２と同様の構成であるから、その説明は省略される。
【００３０】
図１ないし図３が示すように、外蓋１２は、バッグ本体１１の上端にヒンジ６３を介して開閉自在に取り付けられている。このヒンジ６３の構造は種々採用され得るが、本実施形態では、シート状の合成樹脂シートが外蓋１２とバッグ本体１１とに架け渡されることによって構成されている。この合成樹脂シートとしては、例えば、エチレン酢酸ビニル共重合体（ＥＶＡ）が好適に採用される。
【００３１】
外蓋１２は、上記バッグ本体１１と同様にシート状の合成樹脂から構成されている。この合成樹脂としては、例えば、エチレン酢酸ビニル共重合体（ＥＶＡ）が好適に採用される。この外蓋１２が閉じられたときは、当該外蓋１２は、バッグ本体１１の上記開口１７を閉塞する（図１、図２及び図５参照）。また、図３及び図４が示すように外蓋１２が開かれたときは、上記開口１７が露出する。
【００３２】
本実施形態では、この外蓋１２は、トレー状に形成されている。具体的には、図２及び図５が示すように、外蓋１２は、平板部２０とスカート２１とを備えている。平板部２０は矩形に形成されており、その外形形状は、上記開口１７の周縁形状とほぼ同様である。本実施形態では、図２が示すように、上記平板部２０の上面にメジャー４９が表示されている。
【００３３】
上記スカート２１は、上記平板部２０と一体的に形成されている。このスカート２１は、上記平板部２０の周縁に連続し、外側に広がるように設けられている。したがって、外蓋１２が閉じられたときは、図５が示すように、このスカート２１の内面が上記開口１７の周縁部の外側に当接し、当該開口１７及びその周縁部の外側がスカート２１によって囲繞されるようになっている。
【００３４】
また、スカート２１の所定位置に貫通孔２７が設けられている。この貫通孔２７は、スカート２１を垂直に貫通するように形成されている。この貫通孔２７にパイプ挿通環２６（チューブ保持環）が嵌め込まれるようになっている。前述のように、上記バッグ本体１１は、エアポンプバッグ６０（図２参照）を備え、これにエアポンプが収容され得る。そして、このエアポンプバッグ６０には、通常上記エアポンプ用チューブが接続される。図５が示すように、このエアポンプ用チューブ５０は、上記貫通孔２７に挿通され、バッグ本体１１の内部に導かれるようになっている。この貫通孔２７及びこれに嵌め込まれたパイプ挿通環２６による作用効果については、後述される。
【００３５】
図１及び図２が示すように、外蓋１２は、ファスナー２８を介してバッグ本体１１に縫い付けられている。図５が示すように、このファスナー２８は、バッグ本体１１の側壁部１５の上端部１６の最縁部２９と、上記外蓋１２のスカート２１の周縁部３３との間に架け渡すように縫い付けられている。すなわち、このファスナー２８の一方側は、上記上端部１６の溶着位置（上記所定位置１８）よりも下方に縫い付けられており、他方側が上記スカート２１の周縁部３３に縫い付けられている。そして、スライダ３４が操作されることにより、当該ファスナー２８が開閉され、外蓋１２が開閉されるようになっている。
【００３６】
図８は、図３の要部拡大斜視図であって、内蓋１３の取付構造が詳細に示されている。
【００３７】
同図が示すように、内蓋１３は、バッグ本体１１の開口１７の周縁部の内側に配置されており、当該バッグ本体１１に対して開閉自在に取り付けられている。この内蓋１３は、ファスナー３５を介してバッグ本体１１に縫い付けられている。内蓋１３は、シート状に形成されており、メッシュ生地からなる。具体的には、内蓋１３は、格子状に編まれたコア部材（典型的には綿糸やナイロン糸）にポリ塩化ビニル（ＰＶＣ）等の樹脂やラバーがコーティングされたものからなり、きわめて可撓性に富む。図５が示すように、ファスナー３５は、内蓋１３の縁部３６と、バッグ本体１１の側壁部１５との間に架け渡すように縫い付けられている。すなわち、このファスナー３５の一方側は、上記上端部１６の溶着位置（上記所定位置１８）よりも上方に縫い付けられており、他方側が上記内蓋１３の縁部３６に縫い付けられている。そして、スライダ３７が操作されることにより（図８参照）、当該ファスナー３５が開閉され、内蓋１３が開閉されるようになっている。
【００３８】
図５及び図８が示すように、内蓋１３の隅部に貫通孔３８が設けられている。この貫通孔３８にパイプ挿通環３９が嵌め込まれている。この貫通孔３８は、上記エアポンプ用チューブ５０が挿通されるようになっている。この貫通孔３８が内蓋１３に設けられることにより、上記外蓋１２に挿通されたエアポンプ用チューブ５０がバッグ本体１１内に導かれる。なお、当該内蓋１３並びに貫通孔３８及びパイプ挿通環３９は、省略されていてもよい。
【００３９】
内蓋１３は、上記開口１７の形状に対応した形状に形成されている。すなわち、本実施形態では、内蓋１３は、矩形に形成されており、閉じられた状態で上記開口１７を閉塞するようになっている（図８参照）。そして、内蓋１３は、斜め方向に延びる切込部４６を備えており、この切込部４６にファスナー４７が設けられている。この切込部４６の方向は、内蓋１３の対角線方向であり、上記開口１７の対角線に沿う方向である。上記ファスナー４７は、上記切込部４６の両側に架け渡すように取り付けられており、スライダ４８が操作されることにより、当該ファスナー４７が開閉され、上記切込部４６が開閉されるようになっている。
【００４０】
前述のように、本実施形態に係る釣用バッグ１０は、釣道具等の収容庫として使用されるほか、実釣時において釣れた魚や生き餌を生かしておく生け簀としても使用される。この釣用バッグ１０が生け簀として使用される場合には、上記エアポンプが使用される。このエアポンプは、エアポンプバッグ６０に収容される（図２参照）。上記エアポンプ用チューブ５０の一端側がエアポンプに接続され、他端側は、図５が示すように外蓋１２のスカート２１に設けられた貫通孔２７に挿通され、且つ内蓋１３に設けられた貫通孔３８に挿通される。これにより、エアポンプ用チューブ５０を介して空気がバッグ本体１１内に供給される。
【００４１】
このとき、上記貫通孔２７がスカート２１に設けられることにより、上記エアポンプ用チューブ５０が屈曲等することなく、滑らかに湾曲してバッグ本体１１内に導かれる。したがって、このエアポンプ用チューブ５０を介して外部からバッグ本体１１内に空気が安定的に供給される。しかも、この貫通孔２７にパイプ挿通環２６が設けられているから、エアポンプ用チューブ５０が囲繞保持される。すなわち、エアポンプ用チューブ５０が保護され、途中で屈曲することが確実に防止されるという利点がある。なお、上記エアポンプバッグ６０が省略された場合は、エアポンプはバッグ本体１１の外部に設置されることになるが、その場合であっても、エアポンプ用チューブ５０は同様に外蓋１２及び内蓋１３を挿通してバッグ本体１１内に導かれ得る。
【００４２】
このように、本実施形態に係る釣用バッグ１０は、釣れた魚等を海水と共に収容することができる生け簀として使用された場合に、空気を供給するエアポンプ用チューブ５０が屈曲等を起こすことなく滑らかにバッグ本体１１内に導かれることから、このバッグ本体１１に空気が安定的に供給される。したがって、釣れた魚等は、長時間にわたってバッグ本体１１内で生きることができる。
【００４３】
また、本実施形態に係る釣用バッグ１０は、釣道具の収容庫としても使用され、バッグ本体１１に釣道具等が収容された状態で、内蓋１３がファスナー３５を介して閉められることにより、バッグ本体１１内が外部と区画される。さらに、外蓋１２がファスナー２８を介して閉じられることにより、バッグ本体１１の開口１７が閉じられる。
【００４４】
上記バッグ本体１１の側壁部１５の上端部１６は、図５が示すように外側に折り返された後に当該側壁部１５に溶着されているから、この側壁部１５の高い防水性が達成される。しかも、内蓋１３をバッグ本体１１に取り付けているファスナー３５は、上記側壁部１５の上端部１６が溶着された位置よりも上方位置、すなわち、上記側壁部１５の上端部１６が折り返された部位に近い位置に縫い付けられている。そのため、このファスナー３５が縫い付けられた部位は、上記側壁部１５の上端部１６によって外側から覆われることになる。したがって、釣用バッグ１０が釣道具等の収容庫として使用された場合に、上記ファスナー３５が縫い付けられた部位からの浸水が確実に防止される。加えて、上記側壁部１５の先端部１６が前述のように外側に折り返されていることから、バッグ本体１１の内面が滑らかに形成されるという利点もある。
【００４５】
本実施形態では、上記外蓋１２は、上記側壁部１５の上端部１６の最縁部２９に縫い付けられているから、この外蓋１２が閉じ姿勢となったときは、上記側壁部１５の上端部１６が外側から覆われることになる。したがって、バッグ本体１１の開口１７も外蓋１２によって確実に囲繞され、バッグ本体１１への浸水が効果的に防止され得る。しかも、この外蓋１２が閉じられたときは、上記ファスナー２８も閉じられるから、バッグ本体１１への浸水が一層確実に防止される。特に、この外蓋１２は、上記スカート２１を備えており、トレー状に形成されている。したがって、この外蓋１２が閉じられたときに、バッグ本体１１の開口１７及びその周縁部の外側が当該外蓋１２によって囲繞される。その結果、外部からバッグ本体１１内への浸水がなお一層確実に防止されるという利点がある。
【００４６】
加えて、この釣用バッグ１０が生け簀として使用される場合には、実釣中に魚を生かしておくために、バッグ本体１１内の海水を新鮮なものに適宜入れ換える必要がある。その場合には、バック本体１１内の海水が容易且つ迅速に排出されなければならない。また、釣人が釣場から撤収する際にもバッグ本体１１内の海水が容易且つ迅速に排出されなければならない。本実施形態では、上記内蓋１３がメッシュ生地から構成されているから、前述のように内蓋１３全体が網目状に形成されている。したがって、釣人は、バッグ本体１１を傾斜させるだけで迅速にバッグ本体１１内の海水を全部排出することができるし、内蓋１３が閉じられた状態でさらに海水を注ぎ足すことにより、バッグ本体１１内の海水を新鮮なものに簡単に入れ換えることができる。加えて、上記ファスナー３５が上記側壁部１５の上端部１６が溶着された位置よりも上方位置に縫い付けられていることから、仮にバッグ本体１１が海水を収容したまま輸送されたとしても、バッグ本体１１の内部から容易に海水が外部に漏れ出ることはない。
【００４７】
さらに、この内蓋１３は、対角線に沿って延びる切込部４６を備えているので、釣人は、ファスナー４７を開くだけで内蓋１３を開くことなく釣れた魚を切込部４６からバック本体１１に収容することができる。また、この内蓋１３は、上記メッシュ生地、すなわち比較的撓みやすい素材で構成されているから、上記切込部４６は簡単に大きく開かれる。しかも、この切込部４６は、内蓋１３の略全体にわたって形成されているから、ファスナー４７が開かれることにより、当該切込部４６がきわめて容易に大きく開かれる。したがって、釣人は、釣れた魚をバッグ本体１１内に素早く収容することができ、特に、所定時間内における釣果を競う競技会等では、この釣用バッグ１０は、釣人にとってきわめて便利なものである。
【００４８】
また、外蓋１２に上記メジャー４９が表示されているので、釣人は、このメジャーを利用して釣れた魚のサイズを計ることができる。これにより、所定サイズ以上の魚の釣果を競う競技会等では、この釣用バッグ１０は、釣人にとって一層便利なものとなる。
【産業上の利用可能性】
【００４９】
本発明は、魚釣りに使用される釣用バッグに適用され得る。
【図面の簡単な説明】
【００５０】
【図１】図１は、本発明の一実施形態に係る釣用バッグの正面斜視図である。
【図２】図２は、本発明の一実施形態に係る釣用バッグの背面斜視図である。
【図３】図３は、本発明の一実施形態に係る釣用バッグの外蓋が開放された状態における斜視図である。
【図４】図４は、本発明の一実施形態に係る釣用バッグの内蓋が開放された状態における斜視図である。
【図５】図５は、図２におけるV−V断面図である。
【図６】図６は、本発明の一実施形態に係る釣用バッグの取付ステーの拡大斜視図である。
【図７】図７は、本発明の一実施形態に係る釣用バッグの把手の斜視図である。
【図８】図８は、図３における要部拡大斜視図である。
【符号の説明】
【００５１】
１０・・・釣用バッグ
１１・・・バッグ本体
１２・・・外蓋
２０・・・平板部
２１・・・スカート
２６・・・パイプ挿通環
２７・・・貫通孔
５０・・・エアポンプ用チューブ
【図１】
0004530941.tif 000002
【図２】
0004530941.tif 000003
【図３】
0004530941.tif 000004
【図４】
0004530941.tif 000005
【図５】
0004530941.tif 000006
【図６】
0004530941.tif 000007
【図７】
0004530941.tif 000008
【図８】
0004530941.tif 000009